(57)【要約】【課題】  従来、励起用レーザの光増幅機能を有する光ファイバへの光の導入においては、励起用レーザと光ファイバのＮＡの不整合や調整後の移動により光ファイバから漏れた光が、光ファイバのバッファやジャケットなどの被覆体に吸収されて、発熱及び特性劣化の危険性があった。【解決手段】  光ファイバの光伝播媒体より成る光ファイバ心線の周面を囲む被覆体の、光ファイバ心線における光の進行方向の後端側に隣接して透光体を配置し、透光体の傾斜部から、上記光ファイバ心線を伝播する光の少なくとも一部を外部に透過放出させることにより、被覆体への光エネルギーの集中的な吸収と、それに伴う発熱及び特性劣化の回避を図る。【選択図】        図１
2005121980.tif 000002
【特許請求の範囲】
【請求項１】
被覆体を有する光ファイバであって、
上記被覆体の、光ファイバの光伝播媒質である光ファイバ心線における光の進行方向の後端側に隣接して透光体が配置され、
該透光体は、上記光ファイバ心線の周面から光ファイバ心線の長手方向と交叉する方向に、少なくとも上記光ファイバ心線の周面から突出する突出部と、該突出部から光の進行方向に漸次上記光ファイバ心線の軸心に向かって後退する傾斜部とを有し、
該傾斜部から、上記光ファイバ心線を伝播する光の少なくとも一部を外部に透過放出させて成ることを特徴とする光ファイバ。
【請求項２】
上記透光体が、上記光ファイバと一体に形成されることを特徴とする請求項１に記載の光ファイバ。
【請求項３】
上記透光体の表面を、上記光ファイバ内の伝播光が透過することを特徴とする請求項１に記載の光ファイバ。
【請求項４】
上記透光体が、石英ガラスより成ることを特徴とする請求項１に記載の光ファイバ。
【請求項５】
上記透光体が、低融点ガラスより成ることを特徴とする請求項１に記載の光ファイバ。
【請求項６】
上記光ファイバの終端部に、フェルールが配されることを特徴とする請求項１に記載の光ファイバ。
【請求項７】
上記光ファイバの長手方向に延在配置された多数の空孔を有することを特徴とする請求項１に記載の光ファイバ。
【請求項８】
被覆体を有する光ファイバから成る光ファイバ装置であって、
上記被覆体の、上記光ファイバの光伝播媒質である光ファイバ心線における光の進行方向の後端側に隣接して透光体が配置され、
該透光体は、上記光ファイバ心線の周面から光ファイバ心線の長手方向と交叉する方向に、少なくとも上記光ファイバ心線の周面から突出する突出部と、該突出部から光の進行方向に漸次上記光ファイバ心線の軸心に向かって後退する傾斜部とを有し、
該傾斜部から、上記光ファイバ心線を伝播する光の少なくとも一部を外部に透過放出させて成り、
上記光ファイバ心線において、被増幅レーザ光と励起光とが導入されて、被増幅レーザ光の増幅がなされることを特徴とする光ファイバ装置。
【発明の詳細な説明】
【技術分野】
【０００１】
本発明は、光ファイバ及びこの光ファイバを有する光ファイバ装置に関する。
【背景技術】
【０００２】
従来、励起用レーザの光増幅機能を有する光ファイバへのレーザ光の注入において、図９Ａに示すように、励起用レーザと光ファイバのＮＡの不整合や調整後の移動により光ファイバから漏れた光が、光ファイバのバッファやジャケットに吸収されて、発熱による機械的劣化を来たすおそれがあった。
【０００３】
図９Ｂに、一般的なファイバレーザに用いられる光ファイバ心線２の断面構造を示す。その構造よりダブルクラッドファイバと呼ばれる。屈折率の高いコア１１に希土類が添加され、被増幅レーザが注入、伝播、増幅される。一般にコア１１の断面形状は円であるが、偏波面保存のために楕円形状などが採用される。コア１１の直径は単一モードで伝播させるときには１０ミクロン以下が一般的である。一方、第１クラッド１２には励起用レーザ光が注入される。第２クラッド１３は第１クラッド１２より屈折率が低く、励起用レーザ光は第１クラッド１２内を伝播する。第２クラッド１３の屈折率は、第１クラッド１２と同じ材質で構成される光伝播媒質の中に、例えば空孔よりなる低屈折率領域が、ファイバの長手方向に多数本延在配置されることにより、実効平均屈折率が下がることによりなされ得る。
励起用レーザ光は、第１クラッド１２を伝播する過程で励起用レーザはコア１１にも侵入し、侵入した光はコア１１に添加された希土類に吸収される。
第１クラッド１２の直径はコア１１の直径の２〜１０倍と、用途に応じて選択される。
光ファイバ心線２の外側は、例えばバッファと呼称される第１の被覆体３ａ及びジャケットと呼称される第２の被覆体３ｂとによって被覆され、これら被覆体には、機械的な強度を維持する目的で一般に光学材料以外の材料が用いられる。
【０００４】
この光ファイバの両端は、その一部が機械的にバッファ及びジャケットが剥き取られた構造を有している。ここで、励起用レーザ光の、光ファイバの第１クラッドへの注入において、励起用レーザのＮＡが光ファイバの第１クラッドの有するＮＡより大きい場合や励起用レーザと第１クラッドの相対位置がずれた場合に、第１クラッドから漏れた光が第２クラッド内を伝播する。そして、その光がバッファやジャケット付着部に到達したときにバッファやジャケットに吸収されて、発熱及び特性劣化を生じる危険性を有する。
これに対して、バッファやジャケットに難燃性材料を用いることで問題の解決を図る試みが提案された（例えば特許文献１）。
【特許文献１】特開２００３−１３１０７８号公報（第２頁右下欄）
【発明の開示】
【発明が解決しようとする課題】
【０００５】
しかし、バッファやジャケットに難燃性材料を用いた場合でも、レーザの出力次第で発熱による特性劣化の危険性が生じてくるため、レーザの出力に合わせてその都度バッファやジャケットの材料変更を余儀なくされ、そのための作業が煩雑となることは否めない。
しかし、光ファイバはその用途が多岐に渡るため、一定の材料でバッファやジャケットを構成することは難しく、より広範囲の出力をカバーできるファイバ構造が求められる。
【０００６】
すなわち、材料の変更及び改良によってよりも、バッファやジャケットに至る光量を調整することで問題の解決を図る方が現実的と言える。
【０００７】
本発明は、光ファイバにおけるバッファやジャケットの発熱及び特性劣化に係る諸問題の解決を図るものである。
【課題を解決するための手段】
【０００８】
本発明による光ファイバは、被覆体を有する光ファイバであって、上記被覆体の、光ファイバ心線における光の進行方向の後端側に隣接して透光体が配置され、
該透光体は、上記光ファイバ心線の周面から光ファイバの長手方向と交叉する方向に、少なくとも上記光ファイバ心線の周面から突出する突出部と、該突出部から光の進行方向に漸次上記光ファイバ心線の軸心に向かって後退する傾斜部とを有し、
該傾斜部から、上記光ファイバ心線を伝播する光の少なくとも一部を外部に透過放出させて成ることを特徴とする。
【０００９】
そして、本発明による光ファイバは、透光体が、光ファイバと一体に形成され得る。
また、本発明による光ファイバは、透光体の表面を、光ファイバ内の伝播光が透過する構成とし得る。そして、透光体が、石英ガラスもしくは低融点ガラスより成る構成とし得る。
また、本発明による光ファイバは、光ファイバの終端部に、フェルールが配される構成とし得るものであり、また、光ファイバの長手方向に延在配置された多数の空孔を有する構成とし得るものである。
【００１０】
本発明による光ファイバ装置は、被覆体を有する光ファイバ心線から成る光ファイバ装置であって、被覆体の、光ファイバ心線における光の進行方向の後端側に隣接して透光体が配置され、この透光体は、光ファイバ心線の周面から光ファイバ心線の長手方向と交叉する方向に、少なくとも光ファイバ心線の周面から突出する突出部と、この突出部から光の進行方向に漸次上記光ファイバ心線の軸心に向かって後退する傾斜部とを有し、この傾斜部から、光ファイバ心線を伝播する光の少なくとも一部を外部に透過放出させて成り、光ファイバ心線において、被増幅レーザ光と励起光とが導入されて、被増幅レーザ光の増幅がなされることを特徴とする。
【発明の効果】
【００１１】
本発明による光ファイバによれば、レーザ光がバッファ及びジャケットに至る前に外部に放出されることから、バッファ及びジャケットの発熱による特性劣化を回避することができ、したがって長期信頼性及び安全性の高い光ファイバを構成することができ、したがって安全性の高いファイバレーザの実現も図られる。
【００１２】
また、本発明による光ファイバ装置によれば、導入されるレーザ光の出力に合わせてバッファ及びジャケットを変更する必要がないことから、ファイバが同一の構造をとることによる製造コストの低減、ならびにバッファ及びジャケットの構成部品の点数減少が図られるなど、本発明構成によれば、重要かつ多くの効果をもたらすことができるものである。
【発明を実施するための最良の形態】
【００１３】
まず、本発明による光ファイバの実施の形態例を、図１〜図７を参照して説明する。
【００１４】
この実施の形態例においては、図１Ａにその概略側面図を示すように、光ファイバ１の光伝播媒質である光ファイバ心線２と、この光ファイバ心線２を被覆する第１の被覆体例えばバッファ３ａと、第２の被覆体例えばジャケット３ｂと、これら被覆体の、光ファイバ心線２における光の進行方向の後端側に隣接して配置される透光体４とを有する。
光ファイバ心線２は、図１Ｂにその概略断面図を示すように、図１０で説明したと同様のコア１１を有し、その周囲に第１クラッド１２及び第２クラッド１３を有する構成とすることができる。
そして、図２に示すように、光ファイバ１の主に第１クラッド１２を伝播する例えば励起レーザ光が、光ファイバ心線２に導入され、光ファイバ心線２をたとえば石英（屈折率１．５４）により構成した場合、入射角θ２≒４０．５°以上の光は反射を繰り返しながら伝播がなされる。本発明による光ファイバ１においては、この励起レーザ光が第１の被覆体３ａ及び第２の被覆体３ｂに至る直前、すなわちファイバ心線２における光の進行方向の後端側に隣接して透光体４が設けられる。
この透光体４は、光ファイバ心線２の周面から光ファイバ１の長手方向と交叉する方向に、少なくとも光ファイバ心線２の周面から突出する突出部と突出部から光の進行方向に漸次光ファイバ心線２の軸心に向かって後退する傾斜部とを有するものであり、θ２＞θ１とすることにより、第１クラッド１２から第２クラッド１３に漏れてこの傾斜部に入射する光の少なくとも一部、すなわち例えば透光体が同じく石英よりなる構成とした場合、４０．５°以下である入射角θ１を以って入射した光を、外部に透過させる構造を有する。
【００１５】
次に、この透光体４の形成に関する、第１及び第２の実施の形態例について、図３及び図４を参照して、それぞれ説明する。
【００１６】
〔第１の実施の形態例〕
この実施の形態例においては、透光体４は、図３Ａに示すように、まず光ファイバ心線２の外周径より大きな内径を有する透光部４ａに光ファイバ心線２を通し、次いで図３Ｂに示すように、例えばアーク放電装置などの局部加熱装置２１によって、ファイバ心線２と融着され、一体として形成されるものである。
【００１７】
〔第２の実施の形態例〕
この実施の形態例においては、透光体４は、図４Ａに示すように、透光媒体供給器２２より供給される透光媒体４ｂが、回転する光ファイバ心線に付着され、その後、図４Ｂに示すように、例えばアーク放電装置などの局部加熱装置２１によって、ファイバ心線２と融着され、一体として形成されるものである。
この例においては、図５に示すように、透光体４が曲面を有して形成されることから、光ファイバ心線２を伝播する光の一部がこの曲面に入射し、透過及び外部への放出がなされる。
【００１８】
なお、以上第１及び第２の実施の形態例のいずれにおいても、透光部４ａ、透光媒体４ｂは、例えば石英ガラスもしくは低融点ガラスより成る構成とし得るものである。
【００１９】
続いて、本発明による光ファイバの終端部にフェルールを有する第１及び第２の実施の形態例について、図６及び図７を参照して説明する。
【００２０】
〔第１の実施の形態例〕
この実施の形態例においては、本発明による光ファイバ１は、図６Ａにその概略縦断面図を、図６Ｂにそのａ−ａ´における概略横断面図をそれぞれ示すように、光ファイバの光伝播媒質である光ファイバ心線２と、光ファイバ心線を被覆する第１の被覆体例えばバッファ３ａと、第２の被覆体例えばジャケット３ｂと、これら被覆体の、光ファイバ心線における光の進行方向の後端側に隣接して配置される透光体４と、この透光体４に被覆体とは反対側に隣接して、光ファイバ心線２の周面を囲んで成るフェルール３１と、透光体４とフェルール３１とを固定する接着剤３２とを有して成る。
この実施の形態例においては、透光体４は、上述の透光体４の形成に関する第１の実施の形態例に沿って形成されるものである。
【００２１】
〔第２の実施の形態例〕
この実施の形態例においては、本発明による光ファイバ１は、図７Ａにその概略縦断面図を、図７Ｂにそのｂ−ｂ´における概略横断面図をそれぞれ示すように、光ファイバの光伝播媒質である光ファイバ心線２と、光ファイバ心線を被覆する第１の被覆体例えばバッファ３ａと、第２の被覆体例えばジャケット３ｂと、これら被覆体の、光ファイバ心線における光の進行方向の後端側に隣接して配置される透光体４と、この透光体４に被覆体とは反対側に隣接して、光ファイバ心線２の周面を囲んで成るフェルール３１と、透光体４とフェルール３１とを固定する接着剤３２とを有して成る。
この実施の形態例においては、透光体４は、上述の透光体４の形成に関する第２実施の形態例に沿って形成されるものである。
【００２２】
次に、本発明による光ファイバ装置の実施の形態例について、図８を参照して説明する。
光ファイバ装置２０１は、例えば図８にその概略構成図を示すように、光ファイバ１に、その励起用レーザ光源１０２からのレーザ光が、伝送用光ファイ１０３を通じて、光学系１２１を介して光ファイバ１の一方の端部１１２に集光導入され、被増幅レーザ光源１１０から、例えば増幅がなされる低出力の信号光が、光学系１２２を通じて、光ファイバ１の他方の端部１１１に集光導入される。
【００２３】
励起用レーザ光源側の光学系１２１は、レンズ１０４ａ及び１０４ｂと、これら間に配置された、波長選択性ミラー１０５ａとを有する。
被増幅レーザ光源１１０側の光学系１２２は、レンズ１０４ａ及び１０４ｂと、これら間に配置された波長選択性ミラー１０５ｂと、リターンミラー１０７とを有する。
【００２４】
また、被増幅レーザ光源１１０と、光学系１２２の波長選択性ミラーとの間には、レンズ１０４ｃと、光アイソレータ１０９と、旋光子１０８とを有し、被増幅レーザ光源１１０からの被増幅レーザ光、例えば信号光を、レンズ１０４ｃ、光アイソレータ１０９、旋光子１０８を通じ、ミラー１０６ａによって光学系１２２の波長選択性ミラー１０５ｂによって波長選択されて反射され、レンズ１０４ｅによって集光されて、端部１１１から光ファイバ１に導入される。
【００２５】
光ファイバ１は、図１Ｂに概略断面図を示すように、コア１１の外周に第１クラッド１２と、その外周に第２クラッド１３とを有して成る。
【００２６】
励起用レーザ光源１０２から転送用光ファイバ１０３を通じて光学系１２１に導入されたレーザ光は、波長選択性ミラー１０５ａを透過してレンズ１０４ｂによって集光され、光ファイバ１の第１クラッド３に導入されて光ファイバ１のコア２に添加された希土類の励起がなされる。
この励起用レーザ光の、増幅ファイバ１の端部１１２から端部１１１まで通過する間で吸収されなかった余剰のレーザ光は、光学系１２２のリターンミラー１０７で反射されて再び光ファイバ１に導入され、有効に励起に寄与するようになされる。
【００２７】
一方、低出力の被増幅レーザ光源１１０からの被増幅レーザ光は、上述したように光学系１２２によって、集光されて、光ファイバ１の端部１１１から、コア２に導入される。このとき被増幅レーザ光の波長は、光ファイバ１のコア２に添加された希土類の誘導放出光の波長に合わされている。
そして、この被増幅レーザ光が、光ファイバ１を伝播していく過程において、第１クラッド３中の励起用レーザ光は、コア２に添加された希土類に吸収されてコア２に誘導放出光を誘起する。
一方、コア２を伝播する被増幅レーザは、その誘導放出光をピックアップしながら次第にその強度を増す、すなわち増幅が行われる。増幅されたレーザ光は、光ファイバ１の端部１１２から出射される。
この増幅された出力光は、レンズ１０４ｂを通じて波長選択性ミラー１０５ａ及びミラー１０６ｂによって反射されるため、励起用レーザ光源１０２に向かうことなく、出力光として導出される。
【００２８】
なお、本発明による光ファイバにおいては、図示しないが、第２クラッドに、多数の低屈折率領域例えば空孔が、ファイバの長手方向に延在配置される構成とすることにより、第１クラッドとの実効屈折率差を形成することも可能である。
【００２９】
そして、本発明による光ファイバ及び光ファイバ装置は、この実施の形態例に限られるものではなく、例えばその光ファイバ心線がダブルクラッドファイバによらない光ファイバとするなど、種々の変形、変更を行い得ることは言うまでもない。
【図面の簡単な説明】
【００３０】
【図１】Ａ及びＢは、それぞれ、本発明による光ファイバの一例の構造を示す概略側面図及び光ファイバ心線の一例の構造を示す概略断面図である。
【図２】本発明による光ファイバの一例における、光の導入と外部への透過の原理を示す概略図である。
【図３】本発明による光ファイバにおける、透光体の形成の第１の実施の形態例を示す概略図である。
【図４】本発明による光ファイバにおける、透光体の形成の第２の実施の形態例を示す概略図である。
【図５】本発明による光ファイバの一例の構造を示す概略側面図である。
【図６】Ａ及びＢは、それぞれ本発明による光ファイバの、フェルールを有する第１の実施の形態を示す概略縦断面図及び概略横断面図である。
【図７】Ａ及びＢは、それぞれ本発明による光ファイバの、フェルールを有する第２の実施の形態を示す概略縦断面図及び概略横断面図である。
【図８】本発明による光ファイバ装置の、一例の概略構成図である。
【図９】Ａ及びＢは、それぞれ従来の光ファイバの構造を示す概略側面図及び従来の光ファイバ心線の構造を示す概略断面図である。
【符号の説明】
【００３１】
１・・・光ファイバ、２・・・光ファイバ心線、３ａ・・・第１の被覆体（バッファ）、３ｂ・・・第２の被覆体（ジャケット）、４・・・透光体、４ａ・・・透光部、４ｂ・・・透光媒体、１１・・・コア、１２・・・第１クラッド、１３・・・第２クラッド、２１・・・局部加熱装置、２２・・・透光媒体供給器、３１・・・フェルール、３２・・・接着剤、１０２・・・励起用レーザ光源、１０３・・・伝送用光ファイバ、１０４ａ・・・レンズ、１０４ｂ・・・レンズ、１０４ｃ・・・レンズ、１０４ｄ・・・レンズ、１０４ｅ・・・レンズ、１０５ａ・・・波長選択性ミラー、１０５ｂ・・・波長選択性ミラー、１０６ａ・・・ミラー、１０６ｂ・・・ミラー、１０７・・・リターンミラー、１０８・・・旋光子、１０９・・・光アイソレータ、１１０・・・被増幅レーザ光源、１１１・・・端部、１１２・・・端部、１２１・・・光学系、１２２・・・光学系、２０１・・・光ファイバ装置
【図１】
2005121980.tif 000003
【図２】
2005121980.tif 000004
【図３】
2005121980.tif 000005
【図４】
2005121980.tif 000006
【図５】
2005121980.tif 000007
【図６】
2005121980.tif 000008
【図７】
2005121980.tif 000009
【図８】
2005121980.tif 000010
【図９】
2005121980.tif 000011